(57)【要約】【課題】ＣＰＵの負担を増大させずに、音楽データに関する音量レベルなどを表示器やバイブレータへ出力することができるようにした携帯情報端末装置を提供する。【解決手段】本発明が適用された携帯電話機は、圧縮された音楽データを記憶しているメモリ部１と、携帯電話機全体を制御する中央制御部２と、音楽データの伸張などを行うディジタル信号処理部３と、バイブレータ４ｂの周辺出力部４と、オーディオ出力部５などから構成されている。中央制御部２は、メモリ部１の圧縮された音楽データを読み出して、ディジタル信号処理部３へ供給する。ディジタル信号処理部３は、この音楽データの伸張処理を行って音楽信号を得て、更にアナログに変換して、オーディオ出力部５へ送出する。また、ディジタル信号処理部３は、上記の音楽再生処理と併行して、伸張された音楽信号の音量レベルを測定し、バイブレータ強度データに変換して、周辺出力部４へ出力する。【選択図】  図１
2004260649.tif 000002
【特許請求の範囲】
【請求項１】
音楽出力を行うオーディオ出力部と、
表示または振動出力を行う周辺出力部と、
圧縮された音楽データが記憶されるメモリ部と、
前記メモリ部に記憶された前記音楽データの読み出しと、携帯情報端末装置の全体を制御する中央制御部と、
前記中央制御部によって読み出された前記音楽データを伸張して音楽信号を作成し、その音楽信号を前記オーディオ出力部へ送出すると共に、前記音楽信号の付帯情報を測定し、その付帯情報に対応した表示信号または振動信号に変換して、前記周辺出力部へ送出するディジタル信号処理部とを
具備することを特徴とする携帯情報端末装置。
【請求項２】
音楽出力を行うオーディオ出力部と、
表示または振動出力を行う周辺出力部と、
圧縮された音楽データが記憶されるメモリ部と、
携帯情報端末装置の全体を制御する中央制御部と、
前記中央制御部によって起動され、前記メモリ部から読み出した前記音楽データを伸張して音楽信号を作成し、その音楽信号を前記オーディオ出力部へ送出すると共に、前記音楽信号の付帯情報を測定し、その付帯情報に対応した表示信号または振動信号に変換して、前記周辺出力部へ送出するディジタル信号処理部とを具備することを特徴とする携帯情報端末装置。
【請求項３】
音楽出力を行うオーディオ出力部と、
表示または振動出力を行う周辺出力部と、
圧縮された音楽データが記憶されるメモリ部と、
前記メモリ部に記憶された前記音楽データの読み出しと、携帯情報端末装置の全体を制御する中央制御部と、
前記中央制御部によって読み出された前記音楽データを伸張して音楽信号を作成し、その音楽信号を前記オーディオ出力部へ送出すると共に、前記音楽信号の付帯情報を測定し、その付帯情報に対応した表示信号または振動信号に変換するディジタル信号処理部と、
前記中央制御部および前記ディジタル信号処理部に接続され、前記音楽データの再生である時、前記中央制御部からの選択信号により前記ディジタル信号処理部からの前記表示信号または振動信号を前記周辺出力部に選択出力するマルチプレクサとを
具備することを特徴とする携帯情報端末装置。
【請求項４】
音楽出力を行うオーディオ出力部と、
表示または振動出力を行う周辺出力部と、
圧縮された音楽データが記憶されるメモリ部と、
携帯情報端末装置の全体を制御する中央制御部と、
前記中央制御部によって起動され、前記メモリ部から読み出した前記音楽データを伸張して音楽信号を作成し、その音楽信号を前記オーディオ出力部へ送出すると共に、前記音楽信号の付帯情報を測定し、その付帯情報に対応した表示信号または振動信号に変換するディジタル信号処理部と、
前記中央制御部および前記ディジタル信号処理部に接続され、前記音楽データの再生である時、前記中央制御部からの選択信号により前記ディジタル信号処理部からの前記表示信号または振動信号を前記周辺出力部に選択出力するマルチプレクサとを
具備することを特徴とする携帯情報端末装置。
【請求項５】
前記音楽信号の付帯情報は、前記音楽信号の音量情報または周波数情報であることを特徴とする請求項１乃至４のいずれか１項に記載の携帯情報端末装置。
【請求項６】
前記周辺出力部は表示を行う表示部、又は振動を行うバイブレータを有することを特徴とする請求項１乃至４のいずれか１項に記載の携帯情報端末装置。
【請求項７】
前記マルチプレクサは、前記中央処理部が電話の着信又はアラーム出力である時、前記前記中央制御部からの選択信号により前記中央処理部からの前記電話の着信又はアラーム出力に応じた出力信号を選択して前記周辺出力部に出力することを特徴とする請求項３又は請求項４記載の携帯情報端末装置。
【発明の詳細な説明】
【０００１】
【発明の属する技術分野】
本発明は、携帯電話機やＰＤＡなどの携帯情報端末装置に関するもので、特に、ＣＰＵの負担を少なくして音楽データの再生制御を行う携帯情報端末装置に関する。
【０００２】
【従来の技術】
オーディオ機能に関して、音響信号の再生処理や表示を行う音響信号処理装置が知られている（例えば、特許文献１参照。）。
【０００３】
この音響信号処理装置にあっては、ディジタル信号処理部（以下、ＤＳＰと称する）は、例えばディジタル記録媒体から出力されるディジタル音響信号を受信して、信号復調等の再生のためのディジタル信号処理を行い、その復調した音響信号をスピーカへ送出する。これと併行して、制御部（ＣＰＵ）は、ＤＳＰからの復調された音響信号を受けて音量レベルを検出し、前記音響信号に同期した前記音量レベルを表示部にて表示する。これにより、使用者は、スピーカから発せられる音響信号を聞きながら、その音量レベルの強弱表示を表示部から見ることができ、より感覚的に楽しむことができる。
【０００４】
また、オーディオデータの再生を行う再生装置が知られている（例えば、特許文献２参照。）。
【０００５】
この再生装置にあっては、ＤＳＰは、メモリカードから出力される暗号化されたオーディオデータを受信すると、その復号化処理を行い、復号化後のオーディオ信号をスピーカへ送出する。これと併行して、外部に設けられたコントローラは、前記オーディオデータに関する付加情報を表示部に表示する。これにより、使用者は、スピーカから発せられるオーディオ信号を聞きながら、その付加情報を表示部から見ることができる。
【０００６】
また、電話着信時の着信メロディーに同期して、装置を振動させるバイブレータの強弱を制御する通信端末装置が知られている（例えば、特許文献３参照。）。
【０００７】
この通信端末装置にあっては、受信した着信メロディーの強弱に同期して、ＣＰＵが装置を振動させるバイブレータの強弱制御を行っている。これにより、使用者は、スピーカから発せられる着信メロディーを聞きながら、その強弱に同期したバイブレータの強弱振動を感じることができる。
【０００８】
【特許文献１】
特開平１１−１２６４２４号公報（第７−８頁、図１）
【０００９】
【特許文献２】
特開２０００−３４７６９６号公報（第４−５頁、図１）
【００１０】
【特許文献３】
特開２００２−１６６７２号公報（第６−７頁、図１、図６）
【００１１】
【発明が解決しようとする課題】
ところで、上述した従来の装置においては、音響信号の復調や復号化などの高速のディジタル信号処理はＤＳＰが行っている。一方、この音響信号の付加情報である音量レベルの表示やバイブレータの強弱制御はＣＰＵが行っている。この聴覚で感じる音響信号と、視覚で感じる音響レベルの表示や触覚で感じるバイブレータの強弱制御とは、同期が取れていることにより、使用者の感覚に対して、よりインパクトを与えるものとなる。
【００１２】
この同期制御を行うために、ＣＰＵは、ＤＳＰから出力される音響信号を受信した時、その音響信号から音量レベルを測定する。そして、その音量レベルを表示器やバイブレータの出力信号に変換し、表示器やバイブレータへ出力する。これらの一連の動作は、速い一定の周期で、且つ、リアルタイムに行う必要があり、それを実現するためには、ＣＰＵでは頻繁に割込処理が発生することになる。そのために、ＣＰＵの処理負担が増大することから高機能のＣＰＵを使用する必要が生じ、その結果、消費電流の増加や価格上昇を招く問題があった。
【００１３】
本発明は、上記の問題点を解決するためになされたもので、ＣＰＵの負担を増大させずに、音量レベルを表示器やバイブレータへ出力することができるようにした携帯情報端末装置を提供することを目的とする。
【００１４】
【課題を解決するための手段】
上記目的を達成するために、本発明の携帯情報端末装置は、音楽出力を行うオーディオ出力部と、表示または振動出力を行う周辺出力部と、圧縮された音楽データが記憶されるメモリ部と、前記メモリ部に記憶された前記音楽データの読み出しと、携帯情報端末装置の全体を制御する中央制御部と、前記中央制御部によって読み出された前記音楽データを伸張して音楽信号を作成し、その音楽信号を前記オーディオ出力部へ送出すると共に、前記音楽信号の付帯情報を測定し、その付帯情報に対応した表示信号または振動信号に変換して、前記周辺出力部へ送出するディジタル信号処理部とを具備することを特徴とする。
【００１５】
また、本発明の携帯情報端末装置は、音楽出力を行うオーディオ出力部と、表示または振動出力を行う周辺出力部と、圧縮された音楽データが記憶されるメモリ部と、携帯情報端末装置の全体を制御する中央制御部と、前記中央制御部によって起動され、前記メモリ部から読み出した前記音楽データを伸張して音楽信号を作成し、その音楽信号を前記オーディオ出力部へ送出すると共に、前記音楽信号の付帯情報を測定し、その付帯情報に対応した表示信号または振動信号に変換して、前記周辺出力部へ送出するディジタル信号処理部とを具備することを特徴とする。
【００１６】
また、本発明の携帯情報端末装置は、音楽出力を行うオーディオ出力部と、表示または振動出力を行う周辺出力部と、圧縮された音楽データが記憶されるメモリ部と、前記メモリ部に記憶された前記音楽データの読み出しと、携帯情報端末装置の全体を制御する中央制御部と、前記中央制御部によって読み出された前記音楽データを伸張して音楽信号を作成し、その音楽信号を前記オーディオ出力部へ送出すると共に、前記音楽信号の付帯情報を測定し、その付帯情報に対応した表示信号または振動信号に変換するディジタル信号処理部と、前記中央制御部および前記ディジタル信号処理部に接続され、前記音楽データの再生である時、前記中央制御部からの選択信号により前記ディジタル信号処理部からの前記表示信号または振動信号を前記周辺出力部に選択出力するマルチプレクサとを具備することを特徴とする。
【００１７】
また、本発明の携帯情報端末装置は、音楽出力を行うオーディオ出力部と、表示または振動出力を行う周辺出力部と、圧縮された音楽データが記憶されるメモリ部と、携帯情報端末装置の全体を制御する中央制御部と、前記中央制御部によって起動され、前記メモリ部から読み出した前記音楽データを伸張して音楽信号を作成し、その音楽信号を前記オーディオ出力部へ送出すると共に、前記音楽信号の付帯情報を測定し、その付帯情報に対応した表示信号または振動信号に変換するディジタル信号処理部と、前記中央制御部および前記ディジタル信号処理部に接続され、前記音楽データの再生である時、前記中央制御部からの選択信号により前記ディジタル信号処理部からの前記表示信号または振動信号を前記周辺出力部に選択出力するマルチプレクサとを具備することを特徴とする。
【００１８】
【発明の実施の形態】
以下、本発明の実施の形態を図面を参照して説明する。
【００１９】
図１〜図５は、本発明を携帯電話機に適用した実施の形態を示し、図１、図３、図４および図５は携帯電話機の主要部のブロック図、図２はディジタル信号処理部の動作を示すフローチャートである。
【００２０】
（第１の実施の形態）
本発明を適用した携帯電話機の第１の実施の形態について、図１（ａ）、図１（ｂ）、図２を用いて説明する。
【００２１】
図１（ａ）は、本発明を適用した携帯電話機の主要部のブロック図を示すもので、携帯電話機の主要部はメモリ部１、中央制御部２、ディジタル信号処理部３、周辺出力部４、オーディオ出力部５などで構成されている。この内、メモリ部１、中央制御部２、ディジタル信号処理部３は、共通のバス１１に接続されている。
【００２２】
中央制御部２は、ＣＰＵ２０、ＤＭＡＣ（Ｄｉｒｅｃｔ  Ｍｅｍｏｒｙ  Ａｃｃｅｓｓ  Ｃｏｎｔｒｏｌｌｅｒ）２１、プログラムＲＯＭ２２、ＲＡＭ２３、Ｉ／Ｏ部２４などから構成されており、ＲＯＭ２２のプログラムに従い携帯電話機全体の機能を制御する。また、中央制御部２はバスマスターとして、バス１１上のデータを管理しており、メモリ部１およびディジタル信号処理部３との間で送受信されるデータを制御する。
【００２３】
メモリ部１には、圧縮された音楽データが記憶される。この音楽データは、例えば、中央制御部２が、携帯電話機の無線部（図示せず）を動作させて、例えば、インターネットからダウンロードすることにより得られる。また、メモリ部１は、中央制御部２のワークエリアとしても使用される。なお、このメモリ部１は、着脱式のメモリカードで構成してもよい。
【００２４】
ディジタル信号処理部３は、ＤＳＰ３０、プログラムＲＯＭ３１、ＲＡＭ３２、Ｉ／Ｏ部３３や、図示しないディジタルフィルター、Ｄ／Ａコンバータなどから構成されており、圧縮された音楽データの伸張などのディジタル信号処理などを行う。
【００２５】
周辺出力部４は、ドライバ４ａ、バイブレータ４ｂなどから構成されており、携帯電話機をバイブレータ４ｂによって振動させて、使用者に振動を伝える。また、周辺出力部４は、図１（ｂ）に示すように、表示回路４ｃ、ＬＣＤ４ｄなどから構成して、使用者に視覚で伝える構成としてもよい。
【００２６】
オーディオ出力部５は、アンプ５ａ、スピーカ５ｂなどから構成されており、ディジタル信号処理部３から出力される音響信号に従ってスピーカ５ｂから使用者に音楽を伝える。
【００２７】
上記のように構成された携帯電話機において、音楽データの再生は次のように行われる。なお、インターネットから音楽データを受信した時の音楽データの内容が、周知の方法にてメモリ部１に予め設定されているとして説明する。
【００２８】
中央制御部２のＤＭＡＣ２１は、バスマスターとなってハード処理で、メモリ部１に圧縮記憶された音楽データを読み出して、ディジタル信号処理部３へ供給する。
【００２９】
次に、ディジタル信号処理部３の処理を、図２のフローチャートを用いて説明する。先ず、ディジタル信号処理部３は、メモリ部１からの圧縮された音楽データの伸張処理を行って音楽信号を得る。更に、この伸張した音楽信号をアナログに変換して、その音楽信号１３をオーディオ出力部５のアンプ５ａへ送出する（ステップＳ１）。オーディオ出力部５のアンプ５ａは、この音楽信号１３を増幅して、スピーカ５ｂにより音楽を再生し、使用者に伝達する。
【００３０】
また、ディジタル信号処理部３は、伸張した音楽信号の音量レベルを測定する。これは、ある一定期間、例えば、１００ミリ秒間の音量レベルを測定し、平均値または最大値を求める（ステップＳ２）。次に、この音量レベルを、予め音量レベルとバイブレータ強度が設定された変換テーブル３２ａを参照してバイブレータ強度データに変換する（ステップＳ３）。この変換テーブル３２ａは、例えばＲＡＭ３２内に格納されるものであるが、これに限定されるものではない。次に、このバイブレータ強度データをディジタル信号処理部３のＩ／Ｏ部３３から出力信号１２として周辺出力部４へ出力する（ステップＳ４）。
【００３１】
周辺出力部４は、この出力信号１２を受信して、それを基にドライバ４ａがバイブレータ４ｂを振動させて、使用者に伝達する。
【００３２】
以上のステップＳ１〜Ｓ４の処理を繰り返し行い、１曲分の再生が終了すると、ディジタル信号処理部３の処理が終了する（ステップＳ５、Ｓ６）。
【００３３】
これにより、使用者は、スピーカ５ｂから再生される音楽を聴覚で確認すると共に、バイブレータ４ｂの振動によって音楽信号の音量レベルに比例した振動を触覚でも体感することができる。
【００３４】
なお、上述した実施の形態では、バイブレータ４ｂによる振動について説明を行ったが、本発明はこれに限定されることなく、例えば、図１（ｂ）に示すように、携帯電話機に設けられる表示回路４ｃ、ＬＣＤ４ｄ（又はＬＥＤ）などで構成される表示器に、音楽信号の音量レベルに比例したアナライザを表示して、視覚で表現してもよい。
【００３５】
また、音量レベルの代わりに、周波数成分の測定を行って、周波数成分をバイブレータ振動で表現しても良いし、また、ＬＣＤに周波数成分のスペクトラムアナライザを表示するようにしてもよい。
【００３６】
また、周辺出力部４、オーディオ出力部５の両方または一方を外部の音響機器側に設けることにより、より音響効果の大きい音楽再生システムを構成してもよい。
【００３７】
また、ＣＰＵ２０が高機能で、処理能力に余裕がある場合には、ＤＭＡＣ２１を搭載しないで、ＣＰＵ２０がソフト処理で、メモリ部１に圧縮記憶された音楽データを読み出して、ディジタル信号処理部３へ供給してもよい。
【００３８】
上述した第１の実施の形態の携帯電話機によれば、ディジタル信号処理部３は、圧縮された音楽データの伸張処理と併行して、伸張された音楽信号の音量レベルの測定と、その音量レベルに応じた出力信号を周辺出力部４へ出力することを行う。一方、中央制御部２では、音楽データの再生時にメモリ部１から圧縮された音楽データを読み出してディジタル信号処理部３に供給する動作を実行するだけである。従って、中央制御部２の負担が増大することなく、音楽再生と同期した振動や表示出力を作成することができる。また、ＣＰＵ２０の仕様によっては、ＤＭＡＣ２１を搭載しないものを使用することができる。
【００３９】
（第２の実施の形態）
図３は、本発明を携帯電話機に適用した第２の実施の形態のブロック図である。以下、第２の実施形態と第１の実施の形態と異なるところについて説明する。なお、図１と同じ構成については、同じ番号を付し、各部の説明を省略する。また、中央制御部２およびディジタル信号処理部３の内部構成は図１と同じであるので、その構成は省略している。
【００４０】
この第２の実施の形態では、ディジタル信号処理部３にメモリ部６が直接接続されていて、ディジタル信号処理部３がメモリ部６を管理する構成とする。このメモリ部６は、例えば、メモリカードとそのインターフェースなどで構成されている。メモリ部６のメモリカードには、予め圧縮された音楽データが記憶されているとする。
【００４１】
上記のように構成された携帯電話機において、音楽データの再生は次のように行われる。使用者が、図示しないキーを操作して音楽データの再生を指示すると、中央制御部２がキー入力を検出してディジタル信号処理部３を起動する。すると、ディジタル信号処理部３は、メモリ部６の圧縮された音楽データを読み出す。その後は、第１の実施の形態と同様に、ディジタル信号処理部３は音楽データの伸張処理、アナログ変換を行い、オーディオ出力部５へ音楽信号１３を送出して、スピーカ５ｂから音楽を再生出力する。この再生処理と並行して、ディジタル信号処理部３は音量レベルを測定し、バイブレータ強度データに変換し、周辺出力部４へ送出してバイブレータ４ｂによって携帯電話機を振動させる。
【００４２】
上述した第２の実施の形態の携帯電話機によれば、メモリ部１に記憶される圧縮された音楽データの読み出しを中央制御部２が行うことはないため、中央制御部２の負担を更に軽くすることができる。ＣＰＵ２０の仕様によっては、ＤＭＡＣ２１を搭載しないものを使用することができる。
【００４３】
（第３の実施の形態）
図４は、本発明を携帯電話機に適用した第３の実施の形態のブロック図である。以下、第３の実施の形態と第１の実施の形態と異なるところについて説明する。なお、図１と同じ構成については、同じ番号を付し、各部の説明を省略する。また、中央制御部２およびディジタル信号処理部３の内部構成は図１と同じであるので、その構成は同様に省略している。
【００４４】
この第３の実施の形態では、マルチプレクサ７が新たに設けられている。このマルチプレクサ７の一方の入力端Ａには、中央制御部２のＩ／Ｏ部２４からの出力信号１６が接続される。この出力信号１６は、携帯電話機が有する電話着信時やアラーム時にバイブレータ４ｂを駆動するための信号である。また、マルチプレクサ７の他方の入力端Ｂには、ディジタル信号処理部３のＩ／Ｏ部３３の出力信号１２が接続される。この出力信号１２は、第１の実施の形態と同様に、音楽再生時の音楽に同期したバイブレータ４ｂを駆動すための信号である。
【００４５】
そして、マルチプレクサ７のセレクト端Ｓには、中央制御部２のＩ／Ｏ部２４からの選択信号１５が接続されて、この選択信号１５により入力端Ａ又は入力端Ｂのいずれかの信号が選択されて、出力端Ｘから出力信号１７として周辺出力部４に出力される。即ち、マルチプレクサ７は、中央制御部２のＩ／Ｏ部２４から出力信号１６が出力される時は、その選択信号１５によって出力信号１６を選択し、それ以外の時は、ディジタル信号処理部３のＩ／Ｏ部３３からの出力信号１２を選択するよう動作する。
【００４６】
上記のように構成された携帯電話機において、音楽データの再生時およびそれ以外の時の動作は、それぞれ次のように行われる。
【００４７】
まず、音楽データの再生時には、中央制御部２はＩ／Ｏ部２４からマルチプレクサ７の入力端Ｂを選択する選択信号１５を出力する。それにより、ディジタル信号処理部３のＩ／Ｏ部３３からの出力信号１２がマルチプレクサ７から選択されて、出力信号１７として周辺出力部４へ出力される。これにより、第１の実施の形態と同様に、オーディオ出力部５のスピーカ５ｂにおける音楽信号の再生に同期して、周辺出力部４のバイブレータ４ｂを振動させる。
【００４８】
次に、音楽データを再生していない時には、中央制御部２はＩ／Ｏ部２４からマルチプレクサ７の入力端Ａを選択する選択信号１５を出力する。それにより、中央制御部２のＩ／Ｏ部２４からの出力信号１６がマルチプレクサ７から選択されて、出力信号１７として周辺出力部４へ出力される。中央制御部２は、電話着信やアラーム発生状況になると、Ｉ／Ｏ部２４から出力信号１６を出力して、周辺出力部４のバイブレータ４ｂを振動させる。これにより、使用者は電話着信やアラームを感知する。
【００４９】
上述した第３の実施の形態の携帯電話機によれば、周辺出力部４を、本来の電話着信やアラーム用だけではなく、音楽データの再生時のバイブレータとしても共用することができる。特に、携帯電話機は小型であることから、部品実装を増やすことは避けたい。第３の実施形態では、バイブレータを本来の電話着信やアラーム用以外に、音楽データの再生用のバイブレータとしても共用することができ、部品を増やさなくてすむ。しかも、中央制御部２の負担を増やすことなく、実現することができる。
【００５０】
（第４の実施の形態）
図５は、本発明を携帯電話機に適用した第４の実施の形態のブロック図である。以下、第４の実施の形態と前述した第２および第３の実施の形態と異なるところについて説明する。なお、図３、図４と同じ構成については、同じ番号を付し、各部の説明を省略する。また、中央制御部２およびディジタル信号処理部３の内部構成は図１と同じであるので、その構成は同様に省略している。
【００５１】
この第４の実施の形態では、図３と同様に、ディジタル信号処理部３にメモリ部６を接続する構成とし、また、図４と同様に、マルチプレクサ７を設けている。
【００５２】
これにより、第２の実施の形態と同様に、ディジタル信号処理部３はメモリ部６から圧縮された音楽データを読み取り、伸張処理、アナログ変換を行い、オーディオ出力部５へ送出して、スピーカ５ｂから音楽再生を行う。この音声再生と並行して、ディジタル信号処理部３は音声データの音量レベルを測定し、バイブレータ強度データに変換し、周辺出力部４へ送出して、バイブレータ４ｂを振動させる。
【００５３】
また、第３の実施の形態と同様に、中央制御部２は、電話着信やアラーム時に、周辺出力部４のバイブレータ４ｂを振動させる。また、ディジタル信号処理部３は、音楽データの再生時に、音量に同期して周辺出力部４のバイブレータ４ｂを振動させる。
【００５４】
以上説明したように、第４の実施の形態では、ディジタル信号処理部３が圧縮された音楽データを読み出して再生処理を行うため、中央制御部２の負担を更に軽減することができる。ＣＰＵ２０の仕様によっては、ＤＭＡＣ２１を搭載しないものを使用することができる。
【００５５】
また、周辺出力部４を新たに設けることなく、電話着信やアラーム用のバイブレータを音楽データの再生時のバイブレータとして共用することができる。
【００５６】
なお、上述した各実施の形態においては、本発明を携帯電話機に適用したが、ＰＤＡやＰＨＳ等においても、本発明を有効に適用し得ることは言うまでもない。
【００５７】
【発明の効果】
このように、本発明によれば、中央制御部の負担が増大することなく、音楽データの再生と同期した振動や表示出力を作成することが可能となる。また、電話着信やアラーム用のバイブレータや表示部を共用して、音楽データの再生と同期した振動や表示出力を行うことが可能となる。
【図面の簡単な説明】
【図１】本発明に関わる第１の実施の形態を示す携帯電話機のブロック図。
【図２】図１に示した携帯電話機のＤＳＰのフローチャート。
【図３】本発明に関わる第２の実施の形態を示す携帯電話機のブロック図。
【図４】本発明に関わる第３の実施の形態を示す携帯電話機のブロック図。
【図５】本発明に関わる第４の実施の形態を示す携帯電話機のブロック図。
【符号の説明】
１、６  メモリ部
２  中央制御部
３  ディジタル信号処理部
４  周辺出力部
４ａ  ドライバ
４ｂ  バイブレータ
４ｃ  表示回路
４ｄ  ＬＣＤ
５  オーディオ出力部
５ａ  アンプ
５ｂ  スピーカ
７  マルチプレクサ
２０  ＣＰＵ
２１  ＤＭＡＣ
２２  ＲＯＭ
２３  ＲＡＭ
２４  Ｉ／Ｏ部
３０  ＤＳＰ
３１  ＲＯＭ
３２  ＲＡＭ
３２ａ  変換テーブル
３３  Ｉ／Ｏ部
【図１】
2004260649.tif 000003
【図２】
2004260649.tif 000004
【図３】
2004260649.tif 000005
【図４】
2004260649.tif 000006
【図５】
2004260649.tif 000007